(57)【要約】      （修正有）【課題】沸騰後等に笛を鳴らしたくない時は、蓋部分から笛部分をひと手間で外せて、蓋部分は笛無しの蓋とし使用でき、笛部分は、サイズが異なる鍋蓋への兼用ができると共に、洗浄を容易に行うために、笛ベース部と笛カバー部の分割を自在にできる笛付き鍋蓋を提供する。【解決手段】蓋本体１に設けた蒸気入口周囲の金具１ｂと笛ベース部本体２である筒状磁石を磁力によって着脱自在にする。笛部分Ｂは垂直方向の筒型にして、周壁で笛ベース部Ｂ１と笛カバー部Ｂ２に分割し、笛ベース部の分割部分２ｂと笛カバー部の分割部分３ｂにネジ状の溝を設けて、螺合によって分割を自在にする。笛ベース部本体である筒状磁石は耐熱性の磁石にする。笛カバー部本体３の材料は耐熱性で熱くならない熱硬化性樹脂等にする。【選択図】図２
0003194593.tif 000002
【実用新案登録請求の範囲】
【請求項１】
蓋部分に笛部分が着脱式で取り付けられていて、笛部分は上下に笛ベース部と笛カバー部に分割できるように構成されていることを特徴とする笛付き鍋蓋である。
【請求項２】
上記笛部分は、蓋部分に取り付けられる笛ベース部と、笛カバー部とで構成されていて、この笛ベース部と笛カバー部は分割自在に構成されていることを特徴とする笛付き鍋蓋である。
【請求項３】
上記笛部分の笛ベース部は磁石であり、当該磁石によって蓋部分に取り付けられることを特徴とする笛付き鍋蓋である。
【考案の詳細な説明】
【技術分野】
【０００１】  本考案は。鍋等の蓋として、沸騰による水蒸気圧で笛音を発生して沸騰を知らせる笛を備えた、笛付き鍋蓋に関するものである。
【背景技術】
【０００２】  従来品として、鍋蓋に笛が固定されているものと、鍋蓋に摘まみが固定されていて、その摘まみに笛が内蔵されているか取り付けられているものがある。どちらも笛を分割しない構造である。
【先行技術文献】
【特許文献】
【０００３】
【特許文献２】  特開２００８−８６４４４
【特許文献７】  特開平８−３２２７３３
【非特許文献】
【０００４】
【非特許文献１】  実登３１８３６３１号
【非特許文献２】  実登３１８２８４５号
【考案の概要】
【考案が解決しようとする課題】  本考案は、蓋部分と笛部分の着脱を自在にして、▲１▼煮炊き中の沸騰後等に笛を鳴らしたくない時は蓋部分から笛部分をひと手間で外せて、蓋部分は笛無しの蓋として使用し、▲２▼蓋部分から外した笛部分は単独でサイズが異なる鍋蓋等への兼用を可能にし、▲３▼笛部分は笛内部の洗浄をする為に、笛ベース部と笛カバー部を容易に分割自在にできる構造にする。
【課題を解決するための手段】  蓋部分と笛部分を別個にして着脱式にし、更に笛部分は笛ベース部と笛カバー部の分割を自在にする。
方法は、蓋本体に蒸気入口を設けて、蒸気入口の周囲に鉄を含む金属の金具を取り付ける。笛部分は垂直方向の筒型にして、周壁面で、笛ベース部と笛カバー部に分割し、それぞれの分割部分にネジ状の溝を設けて、螺合によって分割自在にする。笛ベース部は耐熱性の筒状の磁石にし、笛カバー部は耐熱性で熱くならない材料にして頂板部に蒸気出口を設ける。蓋部分に笛部分を取り付ける作業は、蓋部分に設けた蒸気入口周囲の金具と、笛ベースである筒状磁石を、蓋部分の蒸気入口から笛カバー部の蒸気出口へと、水蒸気が通過出来るように磁力で接合する。
【考案の効果】  煮炊きの際に、沸騰による水蒸気圧で笛音を発生する笛付きの鍋蓋を使用することで、点火から沸騰までの時間に、調理者は笛が聞こえる距離内であれば、熱源から離れていても沸騰を知ることができるので、吹きこぼれを予防できる。
蓋部分と笛部分を着脱自在にすることで、沸騰後等に笛音を止めたいときは、加熱中であっても、蓋部分から笛部分をひと手間で外して、蓋部分は笛無しの蓋として使用できる。
蓋部分から外した笛部分は単独で、サイズの異なる鍋蓋等への兼用が可能である。
蓋部分から外した笛部分は、容易に笛ベース部と笛カバー部に分割して笛内部の洗浄を行なえる。
笛カバー部材を、耐熱性で熱くならない熱硬化性樹脂等にすることで、加熱中でも、笛部分を素手で持って外す事が出来る。
【図面の簡単な説明】
【図１】蓋部分の断面図
【図２】蓋部分と笛ベース部と笛カバーを別個にした時の断面図
【図３】蓋部分に笛部分を取り付けた時の断面図
【考案を実施するための形態】
図１は蓋部分Ａの断面図であり、図２は蓋部分Ａと笛ベースＢ１と笛カバー部Ｂ２を別個にした時の断面図であり、図３は蓋部分Ａに笛部分Ｂを取り付けた時の断面図である。
図１においてＡは本実施における蓋部分で、１は蓋本体で平面形状は円形、中央に摘まみ１ｃが固定されて摘まみ１ｃと蓋淵１ｄの中間あたりの１か所に蒸気入口１ａとして垂直方向に円柱型の空洞がある。１ａは蒸気入口で、蓋本体１に固定された摘まみ１ｃと蓋淵１ｄの中間あたりの１か所に設けられた空洞であり、形状は垂直方向に円柱型の空洞である。１ｂは蒸気入口周囲の金具で、蒸気入口１ａの周囲に取り付けた、鉄を含む金属の金具であり笛部分Ｂとの着脱部分である。１ｃは蓋本体１に固定された摘まみである。１ｄは蓋本体の蓋淵である。
図２において、Ｂは笛部分、Ｂ１は笛ベース部、Ｂ２は笛カバー部、２は笛ベース部本体で筒型の耐熱性の磁石であり、周壁の上半分は平面形状が円形で外面には笛カバー部Ｂ２との分割部分２ｂであるネジ状の溝があり、下半分は平面形状が六角形以上の多角形である。２ａは蒸気通路で笛ベース部本体２の中央に垂直方向に設けられた円柱型の空洞である。２ｂは笛ベース部の分割部分であり、笛ベース部本体２の周壁の上半分の外面に設けたネジ状の溝である。２ｃは笛ベース部Ｂ１の着脱部分の窪みであり、笛ベース部本体２の底部の蒸気通路２ａから周囲に延長した窪みであり、蓋部分Ａの蒸気入口周囲の金具１ｂとの着脱部分である、形状は垂直方向に円柱形の窪みである。３は笛カバー部本体で周壁の外面の平面形状は六〜十二角形の多角形であり頂板部３ｃの中央に蒸気出口３ａがある、周壁の内面は平面形状が円形で下半分は笛カバー部の分割部分３ｂでありネジ状の溝がある。３ａは蒸気出口で笛カバー部本体３の頂板部３ｃの中央にあり、形状は垂直方向に円柱型の空洞である。３ｂは笛カバー部の分割部分であり笛カバー部本体３の周壁の内面の下半分でネジ状の溝になっている。３ｃは笛カバー部の頂板部で中央に蒸気出口３ａがある。
図３において４は発音部分であり、笛ベース部Ｂ１の分割部分２ｂと、笛カバー部Ｂ２の分割部分３ｂとの螺合によって構成される。
１ｂの蒸気入口周囲の金具は鉄を含む金属であるが、蓋本体１が鉄を含む金属である場合は蒸気入口周囲の金具１ｂは不要であり、蒸気入口１ａの周囲は凹凸が無くなるので、笛部分Ｂの底面で蒸気入口１ａを閉鎖して蒸し料理に対応できる。
２の笛ベース部本体は一層の磁石であるが、二層構造にして下を磁石にし、上を他の耐熱材にしてもよいが上下の接着が外れる可能性があるので一層が無難である。
笛ベース部Ｂ１の周壁下部の外面２ｄと笛カバー部Ｂ２の周壁の外面３ｄは笛ベース部Ｂ１と笛カバー部Ｂ２を螺合する際に手で持つ所であるので、滑り止めの為と怪我の予防として角張らないように平面形状を丸ではなく六〜十二角形の多角形にしたが波型などの凹凸がある曲線でも良い
組立について、蓋部分Ａと笛ベース部Ｂ１と笛カバー部Ｂ２は別個であり、笛ベース部Ｂ１は笛ベース部本体２のみで、笛カバー部Ｂ２は笛カバー部本体３のみであるため、蓋部分Ａのみ組み立てが必要なので説明をする。蓋本体１の蒸気入口１ａに蒸気入口周囲の金具１ｂを取り付けて、蓋本体Ａの中央に耐熱性で熱くならない材料の摘まみ１ｃを取り付ける。
【実施例】  蓋部分Ａと笛ベース部Ｂ１と笛カバー部Ｂ２は別個になっているので、煮炊きの前の準備として、笛ベース部Ｂ１の分割部分２ｂと笛カバー部Ｂ２の分割部分３ｂを螺合して笛部分Ｂを構成したのち、笛ベース部Ｂ１の着脱部分の窪み２ｃを蓋部分Ａの蒸気入口周囲の金具１ｂに取り付け、笛付き鍋蓋の状態にして煮炊きを開始する。
沸騰で発生した水蒸気は、蓋部分Ａの蒸気入口１ａから笛ベース部Ｂ１の蒸気通路２ａ→笛ベース部Ｂ１と笛カバー部Ｂ２の螺合で形成された発音空間４→笛カバー部Ｂ２の蒸気出口３ａへと通り抜ける時に笛音を発生するので、火加減を調節したのちに笛音を鳴らしたい場合はそのまま笛部分Ｂを蓋部分Ａに着けたままにして、笛を鳴らしたくない場合は蓋部分Ａから笛部分Ｂを外す。蓋部分Ａから外した笛部分Ｂは他のサイズが異なる鍋蓋等に兼用できる。
煮炊き終了後、蓋部分Ａから外した笛部分Ｂは、笛ベース部Ｂ１の分割部分２ｂと笛カバー部Ｂ２の分割部分３ｂのネジを緩めて分割し、笛内部の洗浄をする。
【産業上の利用可能性】  煮炊きの際に、沸騰による水蒸気圧で笛音を発生して沸騰を知らせる笛を備えた鍋蓋を使用することは、吹きこぼれの予防、吹きこぼれにより発生するガス漏れの予防、エネルギーの節約、鍋等のかけっ放しによる空焚きで発生する火事の予防に役立ち、家庭においては各自の外出中に「在宅の家族がガス漏れや火事を起こさないだろうか」と云う不安を軽減するものであり、本考案は上記に加えて、笛ベース部である磁石によって蓋部分と笛部分の着脱を自在に行える構造にして、沸騰後等に笛音を鳴らしたくない時は、蓋部分から笛部分をひと手間で外せて、蓋部分は笛無しの蓋として使用し、蓋部分から外した笛部分は単独で、サイズが異なる鍋蓋等への兼用を可能にした。笛部分は笛内部の洗浄をするために笛ベース部と笛カバー部を螺合によって容易に分割自在にできる構造にした、衛生的で合理性に優れた笛付き鍋蓋を提供できる。
【符号の説明】  Ａ    蓋部分
Ｂ    笛部分
Ｂ１  笛ベース部
Ｂ２  笛カバー
Ｉ    蓋部分本体
１ａ  蒸気入口
Ｉｂ  蒸気入口周囲の金具
１ｃ  摘まみ
１ｄ  蓋淵
２    笛ベース部本体
２ａ  笛ベース部の蒸気通路
２ｂ  笛ベース部の分割部分
２ｃ  笛ベース部の着脱部分の窪み
２ｄ  笛ベース部の周壁下部の外面
３    笛カバー部本体
３ａ  蒸気出口
３ｂ  笛カバー部の分割部分
３ｃ  笛カバー部の頂板部
３ｄ  笛カバー部の周壁の外面
４    発音空間
【図１】
0003194593.tif 000003
【図２】
0003194593.tif 000004
【図３】
0003194593.tif 000005
【手続補正書】
【提出日】平成26年9月2日(2014.9.2)
【手続補正１】
【補正対象書類名】実用新案登録請求の範囲
【補正対象項目名】全文
【補正方法】変更
【補正の内容】
【実用新案登録請求の範囲】
【請求項１】
蓋部分に笛部分が着脱式で取り付けられていて、笛部分は上下に笛ベース部と笛カバー部に分割できるように構成されていることを特徴とする笛付き鍋蓋。
【請求項２】
前記笛部分は、蓋部分に取り付けられる笛ベース部と、笛カバー部とで構成されていて、この笛ベース部と笛カバー部は分割自在に構成されていることを特徴とする、請求項１に記載の笛付き鍋蓋。
【請求項３】
前記笛部分の笛ベース部は磁石であり、当該磁石によって蓋部分に取り付けられることを特徴とする、請求項１に記載の笛付き鍋蓋。